(57)【要約】【課題】簡易な構造で位置合わせを容易にする画像表示装置を提供する。【解決手段】実施形態の画像表示装置は、視差毎の複数の画像を合成した合成画像を印刷装置で印刷された記録媒体と、複数のシリンドリカルレンズが並んで構成され、合成画像をそれぞれの視差の方向に分離して表示するレンチキュラーレンズと、記録媒体とレンチキュラーレンズの相対的な位置を調整する位置調整機構と、を有する画像表示装置であって、位置調整機構が、記録媒体とレンチキュラーレンズの少なくともどちら一方の傾き角度を変化可能とする傾き調整部と、記録媒体とレンチキュラーレンズの少なくともどちらか一方を、シリンドリカルレンズの境界線と略垂直の方向に移動可能とする左右調整部と、を備え、傾き調整部と左右調整部は、独立に調整可能であって、左右調整部の一部に、傾き調整部の回転中心を有し、回転中心を基準に、傾き角度を変化可能とすることを特徴とする。【選択図】図３
2015069176.tif 000002
【特許請求の範囲】
【請求項１】
視差毎の複数の画像を合成した合成画像を印刷装置で印刷された記録媒体と、
複数のシリンドリカルレンズが並んで構成され、前記合成画像をそれぞれの視差の方向に分離して表示するレンチキュラーレンズと、前記記録媒体と前記レンチキュラーレンズの相対的な位置を調整する位置調整機構と、を有する画像表示装置であって、前記位置調整機構が、
前記記録媒体と前記レンチキュラーレンズの少なくともどちら一方の傾き角度を変化可能とする傾き調整部と、前記記録媒体と前記レンチキュラーレンズの少なくともどちらか一方を、前記シリンドリカルレンズの境界線と略垂直の方向に移動可能とする左右調整部と、を備え、前記傾き調整部と前記左右調整部は、独立に調整可能であって、
前記左右調整部の一部に、前記傾き調整部の回転中心を有し、前記回転中心を基準に、前記傾き角度を変化可能とすることを特徴とする画像表示装置。
【請求項２】
前記傾き調整部と前記左右調整部は、前記レンチキュラーレンズの上部に配置されていることを特徴とする請求項１記載の画像表示装置。
【請求項３】
前記レンチキュラーレンズの下部に配置された左右調整補助部と、を更に備えることを特徴とする請求項２記載の画像表示装置。
【請求項４】
前記傾き調整部と前記左右調整部は、前記レンチキュラーレンズの下部に配置されていることを特徴とする請求項１記載の画像表示装置
【請求項５】
前記傾き調整部は、前記レンチキュラーレンズの上部に配置され、かつ、前記左右調整部は、前記レンチキュラーレンズの下部に配置されていることを特徴とする請求項１記載の画像表示装置。
【請求項６】
前記傾き調整部と前記左右調整部は、前記レンチキュラーレンズの下部で一体構造となって配置されていることを特徴とする請求項１記載の画像表示装置。
【請求項７】
前記画像表示装置を構成する前記レンチキュラーレンズが２枚以上であることを特徴とする、請求項１乃至６のいずれか１項に記載の画像表示装置。
【発明の詳細な説明】
【技術分野】
【０００１】
本発明の実施形態は、画像表示装置に関する。
【背景技術】
【０００２】
従来の画像表示装置では、立体的に見えるように、見る方向によって見え方が異なる画像を表示させるものがあり、例えば、複数の方向に対して、それぞれの方向から見える視差画像を表示させるため、印刷にて紙などの記録媒体に各視差画像を合成した合成画像を記録し、レンチキュラーレンズを通して画像を表示させている。合成画像は、複数の視差画像を短冊状に配列したものであり、レンチキュラーレンズを構成する多数のシリンドリカルレンズで、同じ方向に同じ視差画像を表示する。
【０００３】
ここで、従来の画像表示装置では、記録媒体に印刷されている合成画像と、レンチキュラーレンズの位置が合っていないと、表示される画像が破綻してしまっていた。また、従来の画像表示装置では、位置ずれには、左右位置ずれと傾きずれがあるが、両者を独立に調整することは難しく、位置合わせは容易ではなかった。
【先行技術文献】
【特許文献】
【０００４】
【特許文献１】特開２００１−７５２００号公報
【発明の概要】
【発明が解決しようとする課題】
【０００５】
本発明が解決しようとする課題は、簡易な構造で位置合わせを容易にする画像表示装置を提供することである。
【課題を解決するための手段】
【０００６】
実施形態の画像表示装置は、視差毎の複数の画像を合成した合成画像を印刷装置で印刷された記録媒体と、複数のシリンドリカルレンズが並んで構成され、前記合成画像をそれぞれの視差の方向に分離して表示するレンチキュラーレンズと、前記記録媒体と前記レンチキュラーレンズの相対的な位置を調整する位置調整機構と、を有する画像表示装置であって、前記位置調整機構が、前記記録媒体と前記レンチキュラーレンズの少なくともどちら一方の傾き角度を変化可能とする傾き調整部と、前記記録媒体と前記レンチキュラーレンズの少なくともどちらか一方を、前記シリンドリカルレンズの境界線と略垂直の方向に移動可能とする左右調整部と、を備え、前記傾き調整部と前記左右調整部は、独立に調整可能であって、前記左右調整部の一部に、前記傾き調整部の回転中心を有し、前記回転中心を基準に、前記傾き角度を変化可能とすることを特徴とする。
【図面の簡単な説明】
【０００７】
【図１】第１の実施形態における画像表示装置の構成図。
【図２】第１の実施形態における画像表示装置の横断面図。
【図３】第１の実施形態における画像表示装置のレンチキュラーレンズ部の縦断面図。
【図４】第１の実施形態における画像表示装置の記録媒体の形成方法を示す図。
【図５】第１の実施形態における画像表示装置の組立方法を示す第１のフローチャート。
【図６】第１の実施形態における画像表示装置の組立方法を示す第２のフローチャート
【図７】第２の実施形態における画像表示装置の縦断面図。
【図８】第３の実施形態における画像表示装置の縦断面図。
【図９】第４の実施形態における画像表示装置の縦断面図。
【図１０】第５の実施形態における画像表示装置の縦断面図。
【図１１】第６の実施形態における画像表示装置の縦断面図。
【図１２】第７の実施形態における画像表示装置の縦断面図。
【発明を実施するための形態】
【０００８】
以下、実施形態について図面を用いて説明する。
【０００９】
（第１の実施形態）
以下、第１の実施形態の画像表示装置について、図面を用いて説明する。
【００１０】
まずは、第１の実施形態の画像表示装置の概略について、図１を用いて説明する。図１は、第１の実施形態における画像表示装置の構成図である。
【００１１】
図１に示すように、記録媒体１には記録画像２が形成されており、これを、例えば、平板である媒体取付け部３に取付ける。そして媒体取付け部３にとりつけられた記録媒体１に接するように、レンチキュラーレンズ部４を取付ける。
【００１２】
また、第１の実施形態の画像表示装置を組立てる前と組立てた後の概要について、図２を用いて説明する。図２は、第１の実施形態における画像表示装置の横断面図である。
【００１３】
図２（ａ）は、第１の実施形態の画像表示装置を組立てる前の概要を示しており、図２（ａ）に示すように、記録媒体１には、記録画像２が形成されており、記録媒体１を媒体取付け部３に取り付けたのち、記録媒体１上に、レンチキュラーレンズ部４を取り付ける。
【００１４】
これにより、レンチキュラーレンズ５を記録画像２に接触させた状態で、位置調整機構６を調整する。ここで、レンチキュラーレンズ５は、カマボコ状のシリンドリカルレンズ１４が多数並んだ状態で構成されており、図２（ａ）、（ｂ）では、以下の図面と同様に、図の上下方向がシリンドリカルレンズ１４間の境界線の略平行な方向である。また、図２（ａ）、（ｂ）では、以下の図面と同様に、図の左右方向がシリンドリカルレンズ１４の境界線に略垂直な方向である。
【００１５】
記録媒体１の位置は、媒体当て面７である程度決められているが、レンチキュラーレンズ５が、記録媒体１上を移動する際、記録媒体１がレンチキュラーレンズ５と一緒に移動しないように、媒体取付け部３の媒体取付け面を滑り止め加工あるいは滑り止めシートを貼る等によって、滑り止め面８にしている。
【００１６】
また、図２（ｂ）は、第１の実施形態の画像表示装置を組立てた後の概要を示しており、図２（ｂ）に示すように、媒体取付け部３とレンチキュラーレンズ部４は、図示しないネジあるいはフック等で、調整済み状態の記録画像２とレンチキュラーレンズ５を押し当てた状態を保持するように、固定されている。
【００１７】
ここで、レンチキュラーレンズ部４は、位置調整機構６を有している。図３は、第１の実施形態における画像表示装置のレンチキュラーレンズ部の縦断面図である。
【００１８】
図３に示すように、レンチキュラーレンズ５は、枠９に対して、図３の上部にあるスライド機構１０と回転中心ネジ１１を介して繋がっている。
【００１９】
ここで、左右調整つまみ１２（以下、左右調整部ともいう。）は、スライド機構１０に接続するように配設されており、例えば、スライド機構１０が直動方式である場合には、片方あるいは両方のつまみを持って、左右方向（以下、レンチキュラーレンズ５を構成するシリンドリカルレンズ１４の境界線と略垂直の方向をいう。）に移動させることによって、レンチキュラーレンズ５に繋がっているスライド機構１０を図３の左右方向に調整可能となっている。また、スライド機構１０が送りネジ方式である場合には、片方あるいは両方のつまみを回転させることによって、レンチキュラーレンズ５に繋がっているスライド機構１０を図３の左右方向に調整可能である。なお、左右調整つまみ１２がネジ方式の場合には、当該ネジの摩擦によって、調整後に、左右調整つまみ１２から手を離しても、左右方向の位置が調整状態からずれにくい。
【００２０】
さらに、傾き調整つまみ１３（以下、傾き調整部ともいう。）は、スライド機構１０の回転中心ネジ１１と繋がっている部品に接触するように配設されており、例えば、傾き調整つまみ１３が直動方式の場合には、傾き調整つまみ１３の左右のつまみを、片方あるいは両方持って上下方向（以下、レンチキュラーレンズを構成するシリンドリカルレンズ１４の境界線と略平行方向をいう。）に移動させ、傾き調整つまみ１３の左右の接触箇所を押し引きすることによって、レンチキュラーレンズ５に繋がっているスライド機構１０の回転中心ネジ１１と繋がっている部品の、回転中心ネジ１１を中心とする傾きが調整可能となっている。また、傾き調整つまみ１３が送りネジ方式である場合には、傾き調整つまみ１３の片方あるいは両方のつまみを回転させ、傾き調整つまみ１３の左右の接触箇所を押し引きすることによって、レンチキュラーレンズ５に繋がっているスライド機構１０の回転中心ネジ１１と繋がっている部品の、回転中心ネジ１１を中心とする傾きが調整可能となっている。なお、傾き調整つまみ１３がネジ方式の場合には、当該ネジの摩擦によって、調整後に傾き調整つまみ１３のつまみから手を離しても、傾きが調整状態からずれにくい。
【００２１】
ここで、第１の実施形態の画像表示装置の位置調整機構６とは、左右調整つまみ１２と傾き調整つまみ１３のことをいう。
【００２２】
従って、第１の実施形態の画像表示装置では、左右調整つまみ１２と傾き調整つまみ１３の調整により、レンチキュラーレンズ５を枠９に対して、図３の左右方向と傾き方向に、それぞれ独立に調整することができる。また、左右調整つまみ１２と傾き調整つまみ１３が近接して配設されているため、左右調整つまみ１２と傾き調整つまみ１３を容易に同時に調整することができる。
【００２３】
一方、記録画像２は、印刷装置の印刷によって形成される。図４は、第１の実施形態における画像表示装置の記録媒体の形成方法を示す図である。
【００２４】
図４（ａ）に示すように、例えば、プリンタ本体２１内部で、紙などの記録用紙である記録媒体２２は、搬送方向２３に搬送されながら、プリンタヘッド２４によって、印刷装置によって、視差毎の複数の画像を合成した合成画像の記録画像２５が印刷される。また、図４（ｂ）に示すように、印刷後の記録媒体２２には、記録画像２５が形成されている。
【００２５】
さらに、図４（ｃ）に示すように、この記録媒体２２は、媒体取付け部２６に取付けられる。ここで、記憶媒体２２を媒体取付け部２６に取り付ける位置の目安として、媒体取付け部２６には、その外周４辺のうちの３辺に、媒体当て面２７が設けられており、この媒体当て面２７に記憶媒体２２の外周を当てることにより、記憶媒体２２を媒体取付け部２６に対して、容易に位置決めすることができる。
【００２６】
次に、第１の実施形態の画像表示装置の製造方法について、図５、図６を用いて説明する。図５は、第１の実施形態における画像表示装置の組立方法を示す第１のフローチャート、図６は、第１の実施形態における画像表示装置の組立方法を示す第２のフローチャートである。
【００２７】
ここで、図５に示すように、まず、記録媒体２２に記録画像２５を印刷する（ステップＳ１）。次に、記録画像２５を印刷した記録媒体２２を、媒体取付け部２６に取付ける（ステップＳ２）。さらに、記録媒体２２を取付けた媒体取付け部２６に、レンチキュラーレンズ部４を取付ける（ステップＳ３）。また、レンチキュラーレンズ５越しに記録画像２を見ながら、レンチキュラーレンズ部５の位置調整機機構６のうち、傾き調整つまみ１３を調整する（ステップＳ４）。
【００２８】
ここで、もし、レンチキュラーレンズ５越しに見る記録画像２の傾きが合っていれば（ステップＳ５のＹＥＳ）、レンチキュラーレンズ５越しに記録画像２を見ながら、レンチキュラーレンズ部４の位置調整機構６のうち、左右調整つまみ１２を調整する（ステップＳ６）。また、もし、レンチキュラーレンズ５越しに見る記録画像２の傾きが合っていなければ（ステップＳ５のＮＯ）、ステップＳ４に戻って、傾き調整つまみ１３の調整をやり直す。
【００２９】
さらに、もし、レンチキュラーレンズ５越しに見る記録画像２の左右位置が合っていれば（ステップＳ７のＹＥＳ）、終了する。また、もし、レンチキュラーレンズ越し５に見る記録画像２の左右位置が合っていなければ（ステップＳ７のＮＯ）、ステップＳ６に戻って、左右調整つまみ１２の調整をやり直す。
【００３０】
なお、図５では、先に、傾き調整つまみ１３を調整してから、左右調整つまみ１２を調整する手順を示したが、この手順に限定されるものではなく、例えば、左右調整つまみ１２を調整してから、傾き調整つまみ１３を調整する手順でも良い。
【００３１】
また、図６で示すように、まず、記録媒体２２に記録画像２５を印刷する（ステップＳ１１）。次に、記録画像２５を印刷した記録媒体２２を、媒体取付け部２６に取付ける（ステップＳ２１）。さらに、記録媒体２２を取付けた媒体取付け部２６に、レンチキュラーレンズ部４を取付ける（ステップＳ１３）。また、レンチキュラーレンズ５越しに記録画像２を見ながら、レンチキュラーレンズ部５の位置調整機機構６のうち、傾き調整つまみ１３を調整する（ステップＳ１４）。
【００３２】
ここで、もし、レンチキュラーレンズ５越しに見る記録画像２の傾きが合っていれば（ステップＳ１５のＹＥＳ）、レンチキュラーレンズ５越しに記録画像２を見ながら、レンチキュラーレンズ部４の位置調整機構６のうち、左右調整つまみ１２を調整する（ステップＳ１６）。
【００３３】
さらに、もし、レンチキュラーレンズ５越しに見る記録画像２の左右位置が合っていれば、（ステップＳ１７のＹＥＳ）、レンチキュラーレンズ５越しに見る記録画像２の傾きが合っているどうかを確認する（ステップＳ１８）。
【００３４】
また、もし、レンチキュラーレンズ越し５に見る記録画像２の左右位置が合っていなければ（ステップＳ１７のＮＯ）、ステップＳ１６に戻って、左右調整つまみ１２の調整をやり直す。
【００３５】
ここで、もし、レンチキュラーレンズ５越しに見る記録画像２の傾きが合っていれば（ステップ１８のＹＥＳ）、終了する。
【００３６】
また、もし、レンチキュラーレンズ５越しに見る記録画像２の傾きが合っていなければ（ステップＳ１８のＮＯ）、左右調整つまみ１２を調整する途中で、一旦合っていた記憶画像２の傾きがずれてしまったことを意味するため、再び、ステップＳ１４に戻って、傾き調整つまみ１３の調整と左右調整つまり１２の調整を再度やり直す（ステップＳ１４〜ステップＳ１８）。
【００３７】
よって、図６のフローチャートによれば、図５のフローチャートに比べて、傾き調整つまみ１３があっているどうかを再度確認するため、より正確に位置合わせされた調整状態を実現することができる。
【００３８】
なお、図６でも図５と同様に、先に、傾き調整つまみ１３を調整してから、左右調整つまみ１２を調整する手順を示したが、この手順に限定されるものではなく、例えば、左右調整つまみ１２を調整してから、傾き調整つまみ１３を調整する手順でも良い。
【００３９】
このように、第１の実施形態の画像表示装置では、記録媒体１の記録画像２に対して、表示される記録画像２を見ながら、レンチキュラーレンズ５の位置を容易に調整することが可能となる。
【００４０】
（第２の実施の形態）
以下、第２の実施形態の画像表示装置について、図７を用いて説明する。第２の実施形態が第１の実施形態と異なる点は、レンチキュラーレンズ部３１のみが異なっている点であり、このレンチキュラーレンズ部３１の表記以外は第１の実施形態と同じであるので、同一部分には、同一符号を付して詳細な説明は省略する。図７は、第２の実施形態における画像表示装置のレンチキュラーレンズ部の縦断面図である。
【００４１】
図７に示すように、レンチキュラーレンズ５は、枠９に対して、図７の下部にあるスライド機構１０と回転中心ネジ１１を介して繋がっている。また、レンチキュラーレンズ５は、カマボコ状のシリンドリカルレンズ１４が多数並んだ状態で構成されている。さらに、左右調整つまみ１２は、スライド機構１０に接続するように配設されており、例えば、スライド機構１０が直動方式である場合には、左右調整つまみ１２の片方あるいは両方のつまみを持って左右方向に移動させることによって、レンチキュラーレンズ５に繋がっているスライド機構１０を、図７の左右方向に調整可能となっている。また、スライド機構１０が送りネジ方式である場合には、左右調整つまみ１２の片方あるいは両方のつまみを回転させることによって、レンチキュラーレンズ５に繋がっているスライド機構１０を、図７の左右方向に調整可能である。なお、左右調整つまみ１２がネジ方式の場合には、当該ネジの摩擦によって、左右調整つまり１２の調整後に、左右調整つまみ１２のつまみから手を離しても、左右方向の位置が調整状態からずれにくい。
【００４２】
さらに、傾き調整つまみ１３は、スライド機構１０の回転中心ネジ１１と繋がっている部品に接触するように配設されており、例えば、傾き調整つまみ１３が直動方式の場合には、傾き調整つまみ１３の左右のつまみを片方あるいは両方持って上下方向に移動させ、傾き調整つまみ１３の左右の接触箇所を押し引きすることによって、レンチキュラーレンズ５に繋がっているスライド機構１０の回転中心ネジ１１と繋がっている部品の、回転中心ネジ１１を中心とする傾きが調整可能となっている。また、傾き調整つまみ１３が送りネジ方式である場合には、傾き調整つまみ１３の片方あるいは両方のつまみを回転させ、傾き調整つまみ１３の左右の接触箇所を押し引きすることによって、レンチキュラーレンズ５に繋がっているスライド機構１０の回転中心ネジ１１と繋がっている部品の、回転中心ネジ１１を中心とする傾きが調整可能となっている。なお、傾き調整つまみ１３がネジ方式の場合には、当該ネジの摩擦によって、傾き調整つまみ１３の調整後に、傾き調整つまみ１３のつまみから手を離しても、傾きが調整状態からずれにくい。
【００４３】
ここで、第２の実施形態の画像表示装置の位置調整機構とは、左右調整つまみ１２と傾き調整つまみ１３のことをいう。
【００４４】
このように、第２の実施形態の画像表示装置では、第１の実施形態と同様に、左右調整つまみ１２と傾き調整つまみ１３の調整により、レンチキュラーレンズ５を枠９に対して、図７の左右方向と傾き方向に、それぞれ独立に調整することができる。また、左右調整つまみ１２と傾き調整つまみ１３が近接して配設されているため、左右調整つまみ１２と傾き調整つまみ１３を容易に同時に調整することができる。
【００４５】
（第３の実施の形態）
以下、第３の実施形態の画像表示装置について、図８を用いて説明する。第３の実施形態が第１の実施形態と異なる点は、レンチキュラーレンズ部４１、傾き調整つまみ４２のみが異なっている点であり、このレンチキュラーレンズ部４１、傾き調整つまみ４２の表記以外は第１の実施形態と同じであるので、同一部分には、同一符号を付して詳細な説明は省略する。図８は、第３の実施形態における画像表示装置のレンチキュラーレンズ部の縦断面図である。
【００４６】
図８に示すように、レンチキュラーレンズ５は、枠９に対して、図８の下部に、スライド機構１０と回転中心ネジ１１を介して繋がっている。また、レンチキュラーレンズ５は、カマボコ状のシリンドリカルレンズ１４が多数並んだ状態で構成されている。さらに、図８の下部に、左右調整つまみ１２は、スライド機構１０に接続するように配設されており、例えば、スライド機構１０が直動方式である場合には、左右調整つまみ１０の片方あるいは両方のつまみを持って、左右方向に移動させることによって、レンチキュラーレンズ５に繋がっているスライド機構１０を図８の左右方向に調整可能となっている。また、スライド機構１０が送りネジ方式である場合には、左右調整つまみ１０の片方あるいは両方のつまみを回転させることによって、レンチキュラーレンズ５に繋がっているスライド機構１０を、図８の左右方向に調整可能である。なお、左右調整つまみ１２がネジ方式の場合には、当該ネジの摩擦によって、傾き調整つまみ１３の調整後に、傾き調整つまみ１３のつまみから手を離しても、左右方向の位置が、調整状態からずれにくい。
【００４７】
しかしながら、傾き調整つまみ４２は、図８の上部に、レンチキュラーレンズ５に接続するように配置されており、傾き調整つまみ４２の左右のつまみを片方あるいは両方持って上下方向に移動させることによって、レンチキュラーレンズ５に繋がっているスライド機構１０の回転中心ネジ１１と繋がっている部品の、回転中心ネジ１１を中心とする傾きを調整し、レンチキュラーレンズ５を図８の傾き方向に調整可能となっている。なお、第３の実施形態の画像表示装置において、傾き調整つまみ４２にて、傾きを調整した後の調整状態からのずれを防止するには、傾き調整つまみ４２にて、傾きを調整している途中は、回転中心ネジ１１を緩めておき、傾きを調整した後に、回転中心ネジ１１を締めればよい。ここで、第３の実施形態の画像表示装置の位置調整機構とは、左右調整つまみ１２と傾き調整つまみ４２のことをいう。
【００４８】
このように、第３の実施形態の画像表示装置では、左右調整つまみ１２と傾き調整つまみ４２の調整により、レンチキュラーレンズ５を枠９に対して、図８の左右方向と傾き方向に、それぞれ独立に調整することができる。
【００４９】
さらに、第３の実施形態の画像表示装置では、傾き調整つまみ４２を含んでレンチキュラーレンズ５を傾けることができるため、ユーザーにとって、より直感的な調整が可能となる。
【００５０】
（第４の実施の形態）
以下、第４の実施形態の画像表示装置について、図９を用いて説明する。第４の実施形態が第１の実施形態と異なる点は、レンチキュラーレンズ部５１、左右および傾き調整つまみ５２のみが異なっている点であり、このレンチキュラーレンズ部５１、左右および傾き調整つまみ５２の表記以外は第１の実施形態と同じであるので、同一部分には、同一符号を付して詳細な説明は省略する。図９は、第４の実施形態における画像表示装置のレンチキュラーレンズ部の縦断面図である。
【００５１】
図９に示すように、レンチキュラーレンズ５は、枠９に対して、図９の下部のスライド機構１０と回転中心ネジ１１を介して繋がっている。また、レンチキュラーレンズ５は、カマボコ状のシリンドリカルレンズ１４が多数並んだ状態で構成されている。
【００５２】
しかしながら、左右調整つまみ１２と傾き調整つまみ１３、４２が別個に設けられておらず、その代わりに、左右調整つまみ１２と傾き調整つまみ１３、４２が一体化された構造である左右および傾き調整つまみ５２が設けられている。
【００５３】
ここで、左右および傾き調整つまみ５２は、スライド機構１０及び回転中心ネジ１１と繋がっている部品に接続するように配設されており、例えば、スライド機構１０が直動方式である場合には、左右および傾き調整つまみ５２の片方あるいは両方のつまみを持って左右方向に移動させることによって、レンチキュラーレンズ５に繋がっているスライド機構１０を、図９の左右方向に調整可能となっている。また、スライド機構１０が送りネジ方式である場合には、左右および傾き調整つまみ５２の片方あるいは両方のつまみを回転させることによって、レンチキュラーレンズ５に繋がっているスライド機構１０を、図８の左右方向に調整可能である。なお、左右および傾き調整つまみ５２がネジ方式の場合には、当該ネジの摩擦によって、左右および傾き調整つまみ５２を調整した後に、左右および傾き調整つまみ５２のつまみから手を離しても、左右方向の位置が調整状態からずれにくい。
【００５４】
また、左右方向位置の調整だけでなく、左右および傾き調整つまみ５２の左右のつまみを片方あるいは両方持って上下方向に移動させて、スライド機構１０の回転中心ネジ１１と繋がっている部品を傾けることにより、レンチキュラーレンズ５の回転中心ネジ１１を中心とする図９の傾き方向にも調整可能となっている。なお、第４の実施形態の画像表示装置で、左右および傾き調整つまみ５２で傾きを調整した後の調整状態からのずれを防止するには、左右および傾き調整つまみ５２で傾きを調整している途中では、回転中心ネジ１１を緩めておき、左右および傾き調整つまみ５２で傾きを調整した後に、回転中心ネジ１１を締めればよい。
【００５５】
ここで、第４の実施形態の画像表示装置の位置調整機構とは、左右および傾き調整つまみ５２のことをいう。
【００５６】
このように、第４の実施形態の画像表示装置では、左右および傾き調整つまみ５２の調整により、レンチキュラーレンズ５を枠９に対して、図９の左右方向と傾き方向に、それぞれ独立に調整することができる。
【００５７】
また、第４の実施形態の画像表示装置では、左右および傾き調整つまみ５２を含んで、レンチキュラーレンズ５を傾けるため、ユーザーにとって、より直感的な調整が可能となる。さらに、第４の実施形態の画像表示装置では、左右および傾き調整つまみ５２によって、レンチキュラーレンズ５を枠９に対して、図９の左右方向と傾き方向とを同時に調整することも容易となる。
【００５８】
（第５の実施の形態）
以下、第５の実施形態の画像表示装置について、図１０を用いて説明する。第５の実施形態が第１の実施形態と異なる点は、レンチキュラーレンズ部８１、左右および傾き調整つまみ８２のみが異なっている点であり、このレンチキュラーレンズ部８１、左右および傾き調整つまみ８２の表記以外は第１の実施形態と同じであるので、同一部分には、同一符号を付して詳細な説明は省略する。図１０は、第５の実施形態における画像表示装置のレンチキュラーレンズ部の縦断面図である。
【００５９】
図１０に示すように、レンチキュラーレンズ５は、枠９に対して、図１０の上部のスライド機構１０と回転中心ネジ１１を介して繋がっている。また、レンチキュラーレンズ５は、カマボコ状のシリンドリカルレンズ１４が多数並んだ状態で構成されている。
【００６０】
しかしながら、左右調整つまみ１２と傾き調整つまみ１３、４２が別個に設けられておらず、その代わりに、左右調整つまみ１２と傾き調整つまみ１３、４２が一体化された構造である左右および傾き調整つまみ８２が設けられている。
【００６１】
ここで、左右および傾き調整つまみ８２は、スライド機構１０及び回転中心ネジ１１と繋がっている部品に接続するように配設されており、例えば、スライド機構１０が直動方式である場合には、左右および傾き調整つまみ８２の片方あるいは両方のつまみを持って左右方向に移動させることによって、レンチキュラーレンズ５に繋がっているスライド機構１０を図１０の左右方向に調整可能となっている。また、スライド機構１０が送りネジ方式である場合には、左右および傾き調整つまみ８２の片方あるいは両方のつまみを回転させることによって、レンチキュラーレンズ５に繋がっているスライド機構１０を図１０の左右方向に調整可能である。なお、左右および傾き調整つまみ８２がネジ方式の場合には、当該ネジの摩擦によって、左右および傾き調整つまみ８２を調整した後に、左右および傾き調整つまみ８２のつまみから手を離しても、左右方向の位置が、調整状態からずれにくい。
【００６２】
また、左右方向位置の調整だけでなく、左右および傾き調整つまみ８２の左右のつまみを片方あるいは両方持って上下方向に移動させて、スライド機構１０の回転中心ネジ１１と繋がっている部品を傾けることにより、レンチキュラーレンズ５の回転中心ネジ１１を中心とする図１０の傾き方向にも調整可能となっている。
【００６３】
なお、第５の実施形態の画像表示装置では、左右および傾き調整つまみ８２にて傾きを調整した後の調整状態からのずれを防止するには、左右および傾き調整つまみ８２にて傾きを調整している途中は、回転中心ネジ１１を緩めておき、左右および傾き調整つまみ８２にて傾きを調整した後に、回転中心ネジ１１を締めればよい。
【００６４】
ここで、第５の実施形態の画像表示装置の位置調整機構とは、左右および傾き調整つまみ８２のことをいう。
【００６５】
このように、第５の実施形態の画像表示装置では、左右および傾き調整つまみ８２の調整により、レンチキュラーレンズ５を枠９に対して、図１０の左右方向と傾き方向に、それぞれ独立に調整することができる。
【００６６】
また、第５の実施形態の画像表示装置では、左右および傾き調整つまみ８２を含んで、レンチキュラーレンズ５を傾けるため、ユーザーにとって、より直感的な調整が可能となる。さらに、第５の実施形態の画像表示装置では、左右および傾き調整つまみ８２によって、レンチキュラーレンズ５を枠９に対して、図１０の左右方向と傾き方向とを同時に調整することも容易となる。
【００６７】
（第６の実施の形態）
以下、第６の実施形態の画像表示装置について、図１１を用いて説明する。第６の実施形態が第１の実施形態と異なる点は、レンチキュラーレンズ部６１、左右調整補助つまみ６２のみが異なっている点であり、このレンチキュラーレンズ部６１、左右調整補助つまみ６２の表記以外は、第１の実施形態と同じであるので、同一部分には、同一符号を付して詳細な説明は省略する。図１１は、第６の実施形態における画像表示装置のレンチキュラーレンズ部の縦断面図である。
【００６８】
図１１に示すように、レンチキュラーレンズ５は、枠９に対して、図１１の上部のスライド機構１０と回転中心ネジ１１を介して繋がっている。また、レンチキュラーレンズ５は、カマボコ状のシリンドリカルレンズ１４が多数並んだ状態で構成されている。
【００６９】
ここで、第５の実施形態の画像表装置では、図１１の下部に、左右調整補助つまみ６２（以下、左右調整補助部ともいう。）を設けている。例えば、記録媒体１の印刷面とレンチキュラーレンズ５の面との間の摩擦が大きい場合には、図１１の上部にある傾き調整つまみ１３および左右調整つまみ１２だけでは、レンチキュラーレンズ５の微動が困難となる。
【００７０】
ここで、第６の実施形態の画像表示装置では、左右調整補助つまみ６２も同時に調整して、レンチキュラーレンズ５の下部にも調整力を加えることにより、レンチキュラーレンズ５を微動させることができる。
【００７１】
なお、左右調整補助つまみ６２は、レンチキュラーレンズ５に接触するように配設されており、例えば、左右調整補助つまみ６２が直動方式の場合には、左右調整補助つまみ６２の左右のつまみを片方あるいは両方持って左右方向に移動させ、左右調整補助つまみ６２の左右の接触箇所を押し引きすることによって、レンチキュラーレンズ５の下部にも調整力を加えることができる。また、左右調整補助つまみ６２が送りネジ方式である場合には、左右調整補助つまみ６２の片方あるいは両方のつまみを回転させ、左右調整補助つまみ６２の左右の接触箇所を押し引きすることによって、レンチキュラーレンズ５の下部にも調整力を加えることができる。なお、左右調整補助つまみ６２がネジ方式の場合には、当該ネジの摩擦によって、左右調整補助つまみ６２を調整した後に、左右調整補助つまみ６２のつまみから手を離しても、傾きが調整状態からずれにくい。
【００７２】
このように、第６の実施形態の画像表示装置では、記録媒体１の印刷面とレンチキュラーレンズ５の面との間の摩擦が大きい場合であっても、左右調整補助つまみ６２も同時に調整して、レンチキュラーレンズ５の下部にも調整力を加えることにより、ユーザーは、レンチキュラーレンズ５を微動させることが可能となる。
【００７３】
なお、左右調整補助つまみ６２は、１組だけでなく、２組以上を有していてもよい。また、左右調整補助つまみ６２は、第１の実施形態と同様に、スライド機構１０、回転中心ネジ１１、左右調整つまみ１２、傾き調整つまみ１３と組み合わせる場合だけでなく、第２の実施形態から第５の実施形態の画像表示装置、および、別の形態の位置調整機構６と組み合わせても良い。
【００７４】
（第７の実施の形態）
以下、第７の実施形態の画像表示装置について、図１２を用いて説明する。第７の実施形態が第１の実施形態と異なる点は、レンチキュラーレンズ部７１、レンチキュラーレンズ７２、スライド機構７３、回転中心ネジ７４、左右調整つまみ７５、傾き調整つまみ７６のみが異なっている点であり、このレンチキュラーレンズ部７１、レンチキュラーレンズ７２、スライド機構７３、回転中心ネジ７４、左右調整つまみ７５、傾き調整つまみ７６の表記以外は、第１の実施形態と同じであるので、同一部分には、同一符号を付して詳細な説明は省略する。図１２は、第７の実施形態における画像表示装置のレンチキュラーレンズ部の縦断面図である。
【００７５】
図１２に示すように、第７の実施形態の画像表示装置では、レンチキュラーレンズ７２を構成するカマボコ状のシリンドリカルレンズ１４が、図１２の左右方向に多数並んだ画像表示装置となっている。よって、レンチキュラーレンズ７２のスライド機構７３、回転中心ネジ７４、左右調整つまみ７５、傾き調整つまみ７６は、レンチキュラーレンズ７２の左側に配置されている。
【００７６】
よって、左右調整つまみ７５は、スライド機構７３と回転中心ネジ７４を介して繋がっているレンチキュラーレンズ７２の図１２の左右方向の位置ではなく、レンチキュラーレンズ７２の図１０の上下方向の位置を調整することとなる。同様に、傾き調整つまみ７６は、スライド機構７３の回転中心ネジ７４を中心に、図１２の傾き方向に調整することとなる。
【００７７】
このように、第７の実施形態の画像表示装置では、レンチキュラーレンズ７２を構成するカマボコ状のシリンドリカルレンズ１４が、図１２の左右方向に多数並んだ画像表示装置であるため、ユーザーは、左右調整つまみ７５を用いて、レンチキュラーレンズ７２の図１２の上下方向の位置を調整することが可能となる。さらに、ユーザーは、傾き調整つまみ７６を用いて、図１２の傾き方向に調整することが可能となる。
【００７８】
なお、第７の実施形態の画像表示装置では、スライド機構７３、回転中心ネジ７４、左右調整つまみ７５、傾き調整つまみ７６は、レンチキュラーレンズ７２の左側ではなく、右側に配置されていてもよい。また、第７の実施形態の画像表示装置では、第１の実施形態と同様に、スライド機構７３、回転中心ネジ７４、左右調整つまみ７５、傾き調整つまみ７６を、レンチキュラーレンズ７２の左側或いは右側に配置する場合だけでなく、第２から第６の実施形態の画像表示装置、および、別の形態の位置調整機構６を、レンチキュラーレンズ７２の左側又は右側に配置してもよい。
【００７９】
以上説明した少なくとも一つの実施形態の画像表示装置によれば、簡易な構造で記録画像２５とレンチキュラーレンズ５の位置合わせを可能とする。
【００８０】
なお、本発明は、上記した各実施の形態には限定されず、種々変形して実施できることは言うまでもない。
【００８１】
例えば、レンチキュラーレンズ部４、３１、４１、５１、６１、７１、８１におけるレンチキュラーレンズ５の枚数には言及しなかったが、これは１枚の場合だけでなく、２枚以上で構成されていても良いことは言うまでもない。
【００８２】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組合せにより、種々の形態を形成できる。例えば、実施形態に示される全構成要素から幾つかの構成要素を省略してもよい。さらに、異なる実施形態にわたる構成要素を適宜組み合わせてもよい。
【符号の説明】
【００８３】
１…記録媒体
２…記録画像
３…媒体取り付け部
４…レンチキュラーレンズ部
５…レンチキュラーレンズ
６…位置調整機構
７…媒体当て面
８…滑り止め面
９…枠
１０…スライド機構
１１…回転中心ネジ
１２…左右調整つまみ（左右調整部）
１３…傾き調整つまみ（傾き調整部）
１４…シリンドリカルレンズ
２１…プリンタ本体
２２…記録媒体
２３…媒体搬送方向
２４…プリンタヘッド
２５…記録画像
２６…媒体取付け部
２７…媒体当て面
３１…レンチキュラーレンズ部
４１…レンチキュラーレンズ部
４２…傾き調整つまみ（傾き調整部）
５１…レンチキュラーレンズ部
５２…左右および傾き調整つまみ（左右及び傾き調整部）
６１…レンチキュラーレンズ部
６２…左右調整補助つまみ（左右調整補助部）
７１…レンチキュラーレンズ部
７２…レンチキュラーレンズ
７３…スライド機構
７４…回転中心ネジ
７５…左右調整つまみ（左右調整部）
７６…傾き調整つまみ（傾き調整部）
８１…レンチキュラーレンズ部
８２…左右および傾き調整つまみ（左右及び傾き調整部）
【図１】
2015069176.tif 000003
【図２】
2015069176.tif 000004
【図３】
2015069176.tif 000005
【図４】
2015069176.tif 000006
【図５】
2015069176.tif 000007
【図６】
2015069176.tif 000008
【図７】
2015069176.tif 000009
【図８】
2015069176.tif 000010
【図９】
2015069176.tif 000011
【図１０】
2015069176.tif 000012
【図１１】
2015069176.tif 000013
【図１２】
2015069176.tif 000014